(57)【特許請求の範囲】
【請求項１】
脚の上端中心部から上方に突出する締結ねじで脚と天板又は天板支持材とを連結する家具の脚取付構造において、脚が、パイプ材からなる脚筒体と、その上端に取り付けられる継手材と、この継手材の上端中心部より上方に突出する締結ねじとを有し、継手材は脚筒体の上部に突出する截頭円錐形の突出部と、この突出部の下面に突設されて脚筒体の上端内面に嵌合する嵌合部とを有し、締結ねじは脚筒体の内部に固定され、継手材の中心部にはこの締結ねじと螺合するねじを有する貫通孔が形成されており、天板又は天板支持材の下面に前記截頭円錐形突出部の脚上端部テーパー面と嵌合するテーパー状の嵌合穴を設けたことを特徴とする家具の脚取付構造。
【発明の詳細な説明】
【０００１】
【産業上の利用分野】
本発明はテーブル、机、カウンター等の家具における脚の取付構造に関する。
【０００２】
【従来の技術】
従来、脚の上端面中心部から上方に突出する１本の締結ねじで脚と天板又は天板支持材とを連結する構成としたテーブル、机、カウンター等が知られている。この種の脚取付構造における脚は、一般に、パイプ材からなる脚筒体と、その上端に固設された継手材と、この継手材の上端中心部より上方に突出する締結ねじとを有し、継手材の上端面は脚筒体の軸線に対し垂直な平面とされ、天板又は天板支持材の平坦な下面に当接される構成となっている。
【０００３】
【発明が解決しようとする課題】
上記構成の脚取付構造においては、締結ねじを締め込んだときに脚と天板又は天板支持材とが脚筒体の軸線に垂直な平面で衝合するにすぎないため、締結ねじに弛みが生じやすく、天板支持強度が低下する原因となる。
【０００４】
したがって、本発明の目的は、構造および取付作業が簡単で安定した天板支持強度を維持することができる家具の脚取付構造を提供することにある。
【０００５】
【課題を解決するための手段】
上記課題を解決するために、請求項１記載の発明は、脚の上端中心部から上方に突出する締結ねじで脚と天板又は天板支持材とを連結する家具の脚取付構造において、脚が、パイプ材からなる脚筒体と、その上端に取り付けられる継手材と、この継手材の上端中心部より上方に突出する締結ねじとを有し、継手材は脚筒体の上部に突出する截頭円錐形の突出部と、この突出部の下面に突設されて脚筒体の上端内面に嵌合する嵌合部とを有し、締結ねじは脚筒体の内部に固定され、継手材の中心部にはこの締結ねじと螺合するねじを有する貫通孔が形成されており、天板又は天板支持材の下面に前記截頭円錐形突出部の脚上端部テーパー面と嵌合するテーパー状の嵌合穴を設けたことを特徴とする。
【０００６】
【作用】
請求項１記載の家具の脚取付構造においては、脚の上端部を截頭円錐形状とし、天板又は天板支持材の下面にこの截頭円錐形状の脚上端部のテーパー面と嵌合するテーパー状の嵌合穴を設けたので、脚の上端中心部から上方に突出する締結ねじで脚と天板又は天板支持材とを連結した際に、脚と天板又は天板支持材との接合面積が増大するとともに、脚と天板又は天板支持材との間の摩擦力が増大するので、締結ねじに弛みが生じ難くなる。したがって、安定した天板支持強度を維持できることとなる。また、天板又は天板支持材と脚とが円錐状のテーパー面で結合するので、天板又は天板支持材に対する脚の位置決めを正確に行なうことができる。また、截頭円錐形状の突出部を有する継手材が脚筒体の内部に固定される締結ねじに螺合して脚筒体の上端内面に嵌着されるので、上端部を截頭円錐形状としその中心部から締結ねじが突出する脚を容易に組み立て形成することができる。
【０００７】
【実施例】
以下、図面を参照して本発明の実施例につき説明する。
図１および図２は本発明をテーブルに適用した場合の第１実施例を示すものである。これらの図を参照すると、テーブルは脚１の上端中心部から上方に突出する締結ねじ２で脚１と天板３とを直接連結する構成となっている。
【０００８】
更に詳しく説明すると、図２に示すように、脚１は、パイプ材からなる脚筒体４を有し、この脚筒体４の下端部には高さ調整用のアジャスタボルト５のねじ部６と螺合するねじ穴８を形成した底板７が溶接固定されている。脚筒体４の上端には継手材９が取り付けられており、この継手材９は脚筒体４の上部に突出する截頭円錐形の突出部１０と、この突出部１０の下面に突設されて脚筒体４の上端内面に嵌合する嵌合部１１とを有する。締結ねじ２は脚筒体４の内部に固定板１２を介して固定されており、継手材９の中心部にはこの締結ねじ２のねじ部１３と螺合するねじ部１４を有する貫通孔１５が形成されている。したがって、継手材９はその嵌合部１１を脚筒体４の上端内面に嵌合させた状態で貫通孔１５のねじ部１４を締結ねじ２のねじ部１３に締め込むことにより、脚筒体４の上端に固定することができる。なお、固定板１２は脚筒体４の上端近傍の内面に溶接固定されており、締結ねじ２は六角ボルトからなり、その頭部側が固定板１２に溶接固定されている。
【０００９】
以上の構成により、脚１の上端部は継手材９の突出部１０により截頭円錐形状とされその上端中心部から締結ねじ２のねじ部１３が上方に突出している。なお、脚筒体４に対する底板７や固定板１２の固定方法としは溶接が簡単であるが、接着剤を用いたり、接合周面にねじを切って螺着固定してもよい。
【００１０】
一方、天板３の４つの隅部（図１では２つの隅部のみ図示されている）の下面にはそれぞれ脚１の継手材９の截頭円錐形状の突出部１０のテーパー面１０ａと嵌合するテーパー状の嵌合穴１６が形成されており、この嵌合穴１６の中心に締結ねじ２と螺合する有底のねじ穴１７が形成されている。脚１の継手材９および天板３の嵌合穴１６に設けるテーパー面の円錐角は摩擦結合力を高める観点から６０゜〜１２０゜の範囲内であることが好ましく、９０゜以下が更に好ましく、図示実施例では約８０゜とされている。
【００１１】
上記構成を有するテーブルにおいては、脚１の上端部が截頭円錐形状とされ、天板３の下面にこの截頭円錐形状の脚上端部のテーパー面１０ａと嵌合するテーパー状の嵌合穴１６が設けられているので、脚１の上端中心部から上方に突出する締結ねじ２で脚１と天板３とを連結した際に、脚１と天板３との接合面積が増大するとともに、脚１と天板３との間の摩擦力が増大するので、締結ねじ２に弛みが生じ難くなる。したがって、安定した天板支持強度を維持できることとなる。また、天板３と脚１とが円錐状のテーパー面で結合するので、天板３に対する脚１の位置決めを正確に行なうことができる。
【００１２】
さらに、上記第１実施例では、截頭円錐形状の突出部１０を有する継手材９が脚筒体４の内部に固定される締結ねじ２と螺合して脚筒体４の上端内面に嵌着されるので、上端部を截頭円錐形状としその中心部から締結ねじ２が突出する脚１を容易に組み立て形成することができる。
【００１３】
さらに、天板３の嵌合穴１６の中心に締結ねじ２と螺合する有底のねじ穴１７が形成されているので、締結ねじ２を天板３の上側に突出させることなく、脚１と天板３とを連結することができる。したがって、外観のすっきりした脚取付構造とすることができる。また、締結ねじ２を直接天板３のねじ穴１７に螺合させるので、脚取付構造の部品点数を最小限にすることができる。
【００１４】
さらに、締結ねじ２を固定する固定板１２が脚筒体４の上端近傍の内面に固着されているので、締結ねじ２を最小限寸法とすることができ、脚１の軽量化およびコストダウンを達成することができる。
【００１５】
図３は本発明の第２実施例を示すものである。同図において、上記第１実施例と同様の構成要素には同一の参照符号が付してある。この実施例では、締結ねじ２を固定する固定板１２が脚筒体４の下端近傍の内面に固着されている。他の構成は第１実施例と同様である。この第２実施例のように、締結ねじ２を固定する固定板１２を脚筒体４の下端近傍の内面に固着すると、長寸の締結ねじ２を必要とするので脚１の重量や部品コストの点では難点があるが、脚筒体４の内部を補強できるので、天板支持強度を一層高めることができる。締結ねじ２は第１実施例と同様に固定板１２に溶接固定してもよいが、この第２実施例では固定板１２にねじ穴１８が貫通形成され、締結ねじ２の下端部にはねじ穴１８と螺合する下ねじ部１９が形成されている。したがって、締結ねじ２の下ねじ部１９を上から固定板１２のねじ穴１８にねじ込むことにより、締結ねじ２を脚筒体４の内部に固定することができる。
【００１６】
図４は本発明の第３実施例を示すものである。同図において、上記第１実施例と同様の構成要素には同一の参照符号が付してある。この実施例では、天板３の嵌合穴１６の中心に締結ねじ２を挿通する通孔２０が貫通形成されており、天板３上から締結ねじ２のねじ部１３にナット２１が螺着されている。他の構成は第１実施例と同様である。なお、この実施例において、脚筒体４に対する締結ねじ２の固定構造は第２実施例と同様の構成であってもよい。この第３実施例の場合、天板３の嵌合穴１６の中心に締結ねじ２を挿通する通孔２０が貫通形成されており、天板３上から締結ねじ２にナット２１が螺着されているので、外観および部品点数の点では難点があるが、ナット２１を用いることで天板３の締結強度を高めることができる。特に、図示は省略するが、２つのナット２１を用いてダブルナット締結にすれば、締結ねじ２の弛みをより完全に防止することができる。
【００１７】
図５は本発明の第４実施例を示すものであり、同図（ａ）はテーブルの要部平面図、同図（ｂ）は同図（ａ）中Ａ−Ａ線に沿った断面図である。同図において上記第１〜第３実施例と同様の構成要素には同一の参照符号が付してある。
【００１８】
この第４実施例では、天板３がその周囲を包囲する枠構造の天板支持材２２により支持されている。この天板支持材２２は天板の各側縁を支持する中空構造の枠片２３と隣接する枠片２３，２３をコーナー部にて連結する連結片２４とを備えている。この連結片２４の側面には突起部２４ａが設けられており、この突起部２４ａが枠片２３の端部内に嵌合し固定されている。天板３は各枠片２３の側壁に突設された支持片２３ａ上に支持されてねじ止めされている。
【００１９】
この第４実施例では、連結片の下面に脚２の継手材９のテーパー面１０ａと嵌合するテーパー状の嵌合穴１６が形成されており、また、嵌合穴１６の中心部に脚２の上端から突出する締結ねじ２を挿通する通孔２０が貫通形成されており、連結片２４の上から締結ねじ２のねじ部１３にナット２１が螺着されている。すなわち、脚１と天板支持材２２の連結片２４との連結構造は第３実施例と類似するものである。
【００２０】
さらに、テーブルの各コーナー部における連結片２４の上面は天板３の上面よりも低い位置にあり、連結片２４およびナット２１を覆うキャップ２５が連結片２４に着脱自在に装着されており、このキャップ２５の上面が天板３の上面と同一面上に位置している。キャップ２５は樹脂等の弾性部材からなり、連結材２４への弾接係合により連結材２４に保持される構成となっている。
【００２１】
この第４実施例の構成によれば、ナット２１の使用により天板支持材２２の締結強度を高めることができるとともに、ナット２１をキャップ２５で覆い隠すことができるので、外観を美しくすることができる。
【００２２】
以上図示実施例につき説明したが、本発明は上記実施例の態様のみに限定されるものではなく、種々の変更が可能である。例えば、締結ねじ２は継手材９若しくは固定板１２と一体に加工形成してもよい。さらに、図４の第３実施例の如く、締結ねじ２に螺合するナット２１で天板３を締結する構成の場合、天板３を上下２枚重ねの２重構造とし、下天板の上に突出するナットおよび締結ねじの先端を上天板の下面に形成した凹部内に収容する構成とすることも可能である。また、図示実施例の天板支持材２２は天板３を囲う枠構造となっているが、天板３の各コーナー部の例えば下面に固定されるコーナー片の形態を有するものであってもよい。また、上記実施例では本発明をテーブルに適用した例を示したが、机やカウンター等の脚取付構造にも本発明を同様に適用できることは明らかである。
【００２３】
【発明の効果】
以上の説明から明らかなように本発明によれば、構造および取付作業が簡単で安定した天板支持強度を維持することができる家具の脚取付構造が提供できる。
【図面の簡単な説明】
【図１】本発明をテーブルに適用した場合の第１実施例を示すテーブル要部の分解斜視図である。
【図２】図１に示すテーブルの脚取付構造を示す縦断面図である。
【図３】本発明の第２実施例を示すテーブルの脚取付構造の縦断面図である。
【図４】本発明の第３実施例を示すテーブルの脚取付構造の要部縦断面図である。
【図５】本発明を天板支持材を有するテーブルに適用した場合の第４実施例を示し、（ａ）はテーブルの要部平面図、（ｂ）は（ａ）中Ａ−Ａ線に沿った要部の縦断面図である。
【符号の説明】
１        脚
２        締結ねじ
３        天板
４        脚筒体
５        アジャスタボルト
９        継手材
１０      突出部
１０ａ    テーパー面
１１      嵌合部
１２      固定板
１３      締結ねじのねじ部
１４      貫通孔のねじ部
１５      貫通孔
１６      嵌合穴
１７      有底のねじ穴
２０      天板の通孔
２１      ナット
２２      天板支持材
２３      枠片
２４      天板支持材の連結片
２５      キャップ
【図１】
0003543836.tif 000002
【図２】
0003543836.tif 000003
【図３】
0003543836.tif 000004
【図４】
0003543836.tif 000005
【図５】
0003543836.tif 000006